【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
ブラウザ機能を具備する画像処理装置であって、
前記ブラウザ機能を使用することにより発生する情報を記憶装置に記憶する記憶手段と、
前記記憶装置に記憶された前記情報を、前記ブラウザ機能の使用の終了後に消去する消去手段と、
前記ブラウザ機能を使用するオペレータを識別する識別手段と、
前記識別手段で識別されたオペレータに基づき前記消去手段による消去の可否を決定する決定手段と、
を備えることを特徴とする画像処理装置。
【請求項２】
前記消去手段は、前記ブラウザ機能の使用が終了したタイミング、又は、該ブラウザ機能を実行するためのブラウザ画面が他の画面に遷移したタイミングで、前記記憶装置に記憶された当該ブラウザ機能の使用に係る前記情報を消去する、又は、前記ブラウザ機能を開始するタイミングで他のオペレータによる前記ブラウザ機能の使用に係る前記情報を消去することを特徴とする請求項１に記載の画像処理装置。
【請求項３】
前記記憶手段は、オペレータが前記ブラウザ機能を使用することにより発生する情報を第１の記憶装置に記憶し、該第１の記憶装置に記憶された前記情報を、特定のオペレータのみによって参照可能な第２の記憶装置に複写し、
前記消去手段は、前記情報が前記第２の記憶装置に複写された後、前記第１の記憶装置に記憶されていた前記情報を消去する
ことを特徴とする請求項１又は２に記載の画像処理装置。
【請求項４】
前記記憶手段により記憶された前記情報の消去を行うかどうかを設定する設定手段をさらに備え、
前記消去手段は、前記設定手段によって前記情報の消去が設定されている場合に前記記憶手段により記憶された情報から該情報を消去する
ことを特徴とする請求項１から３までのいずれか１項に記載の画像処理装置。
【請求項５】
前記情報が、前記ブラウザ機能を管理するための管理データであって、該ブラウザ機能を用いてダウンロードされたコンテンツを表示するために一時的に保持する一時データ、前記ブラウザ機能を用いてアクセスしたＵＲＬの履歴データ、クッキーデータ、又はブックマークデータの少なくともいずれか１つを含むことを特徴とする請求項１から３までのいずれか１項に記載の画像処理装置。
【請求項６】
前記記憶手段により記憶された前記情報に含まれるデータのうち、消去を行う一又は複数のデータを選択する選択手段をさらに備え、
前記消去手段は、前記選択手段によって選択された前記情報の消去が設定されているデータのみを前記記憶手段により記憶された該情報の中から消去する
ことを特徴とする請求項５に記載の画像処理装置。
【請求項７】
前記ブラウザ機能を使用するためにログインするオペレータを認証する認証手段をさらに備え、
前記消去手段が、前記認証手段により認証されたオペレータがログアウトするタイミングで、前記記憶手段により記憶された前記情報を消去する
ことを特徴とする請求項１から６までのいずれか１項に記載の画像処理装置。
【請求項８】
前記ブラウザ機能を使用するためのオペレータの認証を、認証ＩＤを用いて行うＩＤ認証手段と、
前記ＩＤ認証手段により認証されたオペレータの認証ＩＤを記憶するＩＤ記憶手段と、
前記ＩＤ認証手段により認証されたオペレータの認証ＩＤが、前記ＩＤ記憶手段に最後に記憶されたオペレータの認証ＩＤと一致するか否かを判定するＩＤ判定手段とをさらに備え、
前記消去手段が、前記ＩＤ認証手段により認証されたオペレータが前記ＩＤ記憶手段に最後に記憶された認証ＩＤについてのオペレータと異なる場合、該オペレータが前記ブラウザ機能を使用したタイミングで前記記憶手段により記憶された前記情報を消去する
ことを特徴とする請求項１から６までのいずれか１項に記載の画像処理装置。
【請求項９】
前記ＩＤ認証手段が、オペレータが所属する部門ごとに割り当てられた部門ＩＤを認証ＩＤとしてオペレータの認証を行うことを特徴とする請求項７又は８に記載の画像処理装置。
【請求項１０】
オペレータによる前記ブラウザの使用が所定期間ない場合に自装置に対して設定された各種設定をクリアし、該自装置の初期設定の状態に戻すオートクリア手段をさらに備えることを特徴とする請求項１から９までのいずれか１項に記載の画像処理装置。
【請求項１１】
ブラウザ機能を具備する画像処理装置の制御方法であって、
前記ブラウザ機能を使用することにより発生する情報を記憶装置に記憶する記憶工程と、
前記記憶装置に記憶された前記情報を、前記ブラウザ機能の使用の終了後に消去する消去工程と、
前記ブラウザ機能を使用するオペレータを識別する識別工程と、
前記識別工程で識別されたオペレータに基づき前記消去工程による消去の可否を決定する決定工程と、
を有することを特徴とする画像処理装置の制御方法。
【請求項１２】
請求項１１に記載の画像処理装置の制御方法を、コンピュータに実行させるためのプログラム。
【請求項１３】
請求項１２に記載のプログラムを格納したことを特徴とするコンピュータ読み取り可能な記憶媒体。
【手続補正２】
【補正対象書類名】明細書
【補正対象項目名】発明の名称
【補正方法】変更
【補正の内容】
【発明の名称】画像形成装置及び画像処理装置の制御方法
【手続補正３】
【補正対象書類名】明細書
【補正対象項目名】０００１
【補正方法】変更
【補正の内容】
【０００１】
本発明は、ブラウザ機能を組み込んだデジタル複写機、ファクシミリ装置、プリンタ装置等の画像処理装置及び画像処理装置の制御方法に関する。
【手続補正４】
【補正対象書類名】明細書
【補正対象項目名】０００８
【補正方法】変更
【補正の内容】
【０００８】
上記目的を達成するために、本発明は、ブラウザ機能を具備する画像処理装置であって、
前記ブラウザ機能を使用することにより発生する情報を記憶装置に記憶する記憶手段と、
前記記憶装置に記憶された前記情報を、前記ブラウザ機能の使用の終了後に消去する消去手段と、
前記ブラウザ機能を使用するオペレータを識別する識別手段と、
前記識別手段で識別されたオペレータに基づき前記消去手段による消去の可否を決定する決定手段と、
を備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
さらにまた、上記課題を解決するために、本発明は、ブラウザ機能を具備する画像処理装置の制御方法であって、
前記ブラウザ機能を使用することにより発生する情報を記憶装置に記憶する記憶工程と、
前記記憶装置に記憶された前記情報を、前記ブラウザ機能の使用の終了後に消去する消去工程と、
前記ブラウザ機能を使用するオペレータを識別する識別工程と、
前記識別工程で識別されたオペレータに基づき前記消去工程による消去の可否を決定する決定工程と、
を有することを特徴とする。